(57)【要約】      （修正有）【課題】パネルで形成した壁面にあけた出入口専用の空間のパネルの周縁部に簡単に取付けて強固かつ断熱性、密封性に優れた枠を提供する。【解決手段】硬質プラスチック成形製の肉厚長尺で強度に優れた枠材１と、それに結着するアルミ成形製の長尺な取付板５を設け、該枠材１に取付板５を取付けるにつき枠材１の側面枠３の先端を凹条７に嵌合して両者１、５が互にずれないように結合し枠材１と取付板５を両者のボルト孔４、１０に挿通したボルト１１をナット１２締めすることによって、両者１、５を強固一体的に結着すると同時に、パネル８の周縁部を強力に締付け挟持して断熱、密封状態に連結し、極めて強固で断熱性、密封性に優れ、また容易に外れることがない枠を形成する。【選択図】図６
2004250978.tif 000002
【特許請求の範囲】
【請求項１】
横断面厚肉Ｌ形でその肉厚内を中空に形成した硬質プラスチック長尺材の長手方向の一面を外面枠、他面を側面枠とし、側面枠の先端面の長手方向にボルト孔をあけた枠材を設ける一方、
横断面コ形の金属長尺材の外側板を上記枠材の側面枠をカバーするカバー板とする一方、内側板を略中央から直角に折曲げて上記枠材の側面枠の先端を嵌合する凹条と、パネルの縁部を枠材の外面枠との間で挟持する押え板を形成し、凹条の底面に枠材のボルト孔と合致させてボルト孔をあけた取付板を設け、
枠材の内角部にパネルの縁部を当接すると共に、該枠材に取付板を、その凹条に側面枠の先端を嵌合し、カバー板で側面枠をカバーし、また、押え板でパネルの縁部を外面枠との間で挟持した状態で両者のボルト孔に挿通したボルトをナット締めして取付け、もって、枠材と取付板をパネルの縁部に固着して、パネルで形成する壁面に枠で囲まれた出入口等を形成するようにした、
パネル構築・建築物の出入口等の枠。
【発明の詳細な説明】
【０００１】
【産業上の利用分野】
プレハブ式パネル構築・建築物の壁面に出入口等の空間を形成するにつき、該空間を形成するパネルの周縁部に容易かつ強固に取付けて、強度、断熱性、密封性等に優れた枠を構成し得るようにした、パネル構築・建築物の出入口等の枠を提供する。
【０００２】
【従来の課題】
主として長方形の壁パネルを連結して構成した大型冷凍・冷蔵庫、冷凍・冷蔵倉庫、各種倉庫、クリーンルーム等のプレハブ式パネル構築・建築物において、パネルが形成する壁面に枠で囲まれた出入口用、窓用、各種機器取付用等の空間を形成すること、例えば、パネル壁面に出入口用の空間を形成し、該部に電動式、手動式等の開閉扉、引戸等を設置して出入口として使用することが広く一般的に行われている。
【０００３】
そして、この場合、単にパネルを出入口の形状、大きさに切除しただけでは、パネルの切断面が露出し不体裁で危険なだけでなく、倉庫等構築・建築物としての強度上、断熱性、密封性等の問題があるため、通常、出入口等空間の周縁部に枠を取付けて空間を該枠で囲んでいる。
【０００４】
然るところ、従来、該枠のパネル周縁部に対する取付け構成が容易で上記の強度、断熱性、密封性等に充分対応し得るものが提供されておらず、特に、パネル周縁部との取付接続が面倒な上に強度、断熱性、密封性等の要件において劣るものしかなかったため、その対応が強く要望されてきたものである。
【０００５】
【発明による課題の解決】
そこで、本発明は、硬質プラスチック成形製の肉厚長尺で強度に優れた枠材と、それに結着するアルミ成形製の長尺な取付板を設け、
【０００６】
該枠材を出入口等の空間を形成したパネルの周縁部に当接すると共に、該枠材に取付板を取付けるにつき枠材の側面枠の先端を凹条に嵌合して両者が互にずれないように結合し、その押え板と外面枠の間にパネルの周縁部を挟持した状態で、枠材と取付板を両者のボルト孔に挿通したボルトをナット締めすることによって、両者を強固一体的に結着すると同時に、パネルの周縁部を強力に締付け挟持して断熱、密封状態に連結し、もって、極めて強固で断熱性、密封性に優れ、また容易に外れることがない枠を形成することによって、上記従来の課題を有効に解決したものである。
【０００７】
【課題を解決する手段】
即ち、本発明は、横断面厚肉Ｌ形でその肉厚内を中空に形成した硬質プラスチック長尺材の長手方向の一面を外面枠、他面を側面枠とし、側面枠の先端面の長手方向にボルト孔をあけた枠材を設ける一方、
【０００８】
横断面コ形の金属長尺材の外側板を上記枠材の側面枠をカバーするカバー板とする一方、内側板を略中央から直角に折曲げて上記枠材の側面枠の先端を嵌合する凹条と、パネルの縁部を枠材の外面枠との間で挟持する押え板を形成し、凹条の底面に枠材のボルト孔と合致させてボルト孔をあけた取付板を設け、
【０００９】
枠材の内角部にパネルの縁部を当接すると共に、該枠材に取付板を、その凹条に側面枠の先端を嵌合し、カバー板で側面枠をカバーし、また、押え板でパネルの縁部を外面枠との間で挟持した状態で両者のボルト孔に挿通したボルトをナット締めして取付け、もって、枠材と取付板をパネルの縁部に固着して、パネルで形成する壁面に枠で囲まれた出入口等を形成するようにした、パネル構築・建築物の出入口等の枠によって、課題を解決したものである。
【００１０】
【実施例】
次に、本発明の実施例を説明する。（図１乃至図６を参照。）
横断面厚肉Ｌ形でその肉厚内を中空に形成した硬質プラスチック長尺材の長手方向の一面を外面枠２、他面を側面枠３とし、側面枠３の先端面の長手方向にボルト孔４をあけた枠材１（図２、図３）を設ける一方、
【００１１】
横断面コ形の金属長尺材の外側板を上記枠材１の側面枠３をカバーするカバー板６とする一方、内側板を略中央から直角に折曲げて上記枠材の側面枠３の先端を嵌合する凹条７と、パネル８の縁部を枠材１の外面枠２との間で挟持する押え板９を形成し、凹条７の底面に枠材１のボルト孔４と合致させてボルト孔１０をあけた取付板５（図４、図５）を設け、
【００１２】
枠材１の内角部にパネル８の縁部を当接すると共に、該枠材１に取付板５を、その凹条７に側面枠３の先端を嵌合し、カバー板６で側面枠３をカバーし、また、押え板９でパネル８の縁部を外面枠２との間で挟持した状態で両者のボルト孔４、１０に挿通したボルト１１をナット１２締めして取付け、もって、枠材１と取付板５をパネル８の縁部に固着して、パネル８で形成する壁面に枠で囲まれた出入口１３等を形成するようにした、パネル構築・建築物の出入口等の枠である。（図１、図６を参照）
【００１３】
なお、図６における符号１４はパネル構築・建築物の出入口１３に設置した両開き引き戸である。
【００１４】
【効果】
パネルで形成した壁面にあけた出入口等用の空間のパネルの周縁部に簡単に取付けて強固かつ断熱性、密封性に優れた枠を構成できる特徴がある。
【００１５】
硬質プラスチック製長尺材からなる軽量、強固な枠材と、アルミ等の金属長尺板からなる軽量、強固な取付板をパネルの周縁部に当接すると同時にボルト、ナット締めするだけで枠を構成できるので、部品点数が少なくて済み、製造、販売、及び施工等のコストを安価にし得る優れた利点がある。
【００１６】
枠材の側面枠先端を取付板の凹条に嵌合することにより両者が互にずれない状態にし、その状態で外面枠と押え板間にパネルの周縁部をボルト、ナット締めで強力に挟圧取付けするようにしたので、両者の連結を強固に、また断熱性、密封性を堅固に維持できる優れた効果がある。
【図面の簡単な説明】
【図１】本発明実施例枠をパネルの縁部に取り付けた状態を示す横断面図。
【図２】枠材の正面図、平面図、背面図、及び右側面図。
【図３】図２のＡ−Ａ線断面拡大図。
【図４】取付板の正面図、平面図、背面図、及び右側面図。
【図５】図４のＢ−Ｂ線断面拡大図。
【図６】本発明実施例枠で形成した出入口に両開き引き戸を設置した状態を示す横断面図。
【符号の説明】
１    枠材
２    外面枠
３    側面枠
４    ボルト孔
５    取付板
６    カバー板
７    凹条
８    パネル
９    押え板
１０  ボルト孔
１１  ボルト
１２  ナット
１３  出入口
１４  引き戸
【図１】
2004250978.tif 000003
【図２】
2004250978.tif 000004
【図３】
2004250978.tif 000005
【図４】
2004250978.tif 000006
【図５】
2004250978.tif 000007
【図６】
2004250978.tif 000008